(57)【要約】【課題】  従来、インターネットと電話番号管理サーバとアクセスポイントとしての無線ＬＡＮ基地局とを有線で接続することで無線ＬＡＮによる通信エリアを設定しているため、インターネットへの有線接続環境のある場所でなければアクセスポイントを介した無線ＬＡＮの通信エリアを設定することができない。そこで、インターネットへの有線接続環境のない場所においても、アクセスポイントを介した無線ＬＡＮの通信エリアを設定できるようにし、無線ＬＡＮによる通信エリアの移動可能な無線ネットワークを得る。【解決手段】  サーバ５と無線ＬＡＮ３４のアクセスポイント６とを備えた無線ＬＡＮ移動基地局装置３とインターネット２とが無線で接続され、無線ＬＡＮ移動基地局装置３と複数の携帯電話機（端末装置）４；４・・・とが無線で接続されたことを特徴とする。【選択図】        図２
2006270889.tif 000002
【特許請求の範囲】
【請求項１】
サーバと無線ＬＡＮのアクセスポイントとを備え、携帯可能に形成され、インターネットと無線で接続されることを特徴とする無線ＬＡＮ移動基地局装置。
【請求項２】
アクセスポイントが無線ＬＡＮアダプタにより形成されたことを特徴とする請求項１に記載の無線ＬＡＮ移動基地局装置。
【請求項３】
サーバと無線ＬＡＮのアクセスポイントとを備えた無線ＬＡＮ移動基地局装置とインターネットとが無線で接続され、無線ＬＡＮ移動基地局装置と複数の端末装置とが無線で接続されたことを特徴とする無線ネットワーク。
【請求項４】
複数の端末装置と無線ＬＡＮ移動基地局装置とで構築された無線ＬＡＮ内での内線番号が無線ＬＡＮを構築するそれぞれの端末装置に個別に付与され、サーバが、無線ＬＡＮを構築する複数の端末装置の内線番号を管理して無線ＬＡＮを構築する装置間の通信を制御する通信制御部を備えたことを特徴とする請求項３に記載の無線ネットワーク。
【請求項５】
無線ＬＡＮ移動基地局装置が一斉通信制御部を備え、一斉通信制御部が、無線ＬＡＮ移動基地局装置から無線ＬＡＮを構築する複数の端末装置に対する一斉通信や、無線ＬＡＮを構築する複数の端末装置のうちの１つ端末装置から無線ＬＡＮを構築するその他の端末装置に対する一斉通信を制御することを特徴とする請求項３に記載の無線ネットワーク。
【請求項６】
端末装置が携帯電話機であり、複数の携帯電話機と無線ＬＡＮ移動基地局装置とで構築された無線ＬＡＮ内での内線電話番号と、ＩＰアドレスと、ＩＰ電話番号とが無線ＬＡＮを構築するそれぞれの携帯電話装置に個別に付与され、サーバが、無線ＬＡＮを構築する複数の携帯電話装置の内線電話番号と、ＩＰアドレスと、ＩＰ電話番号とを管理して無線ＬＡＮを構築する装置間の電話通信及び無線ＬＡＮを構築する装置からインターネットを利用したＩＰ電話通信を制御する電話通信制御部を備えたことを特徴とする請求項３または請求項５に記載の無線ネットワーク。
【発明の詳細な説明】
【技術分野】
【０００１】
本発明はインターネットへの有線接続環境のない場所においてアクセスポイントを介した無線ＬＡＮによる通信エリアを移動設定可能な無線ＬＡＮ移動基地局装置及びこの無線ＬＡＮ移動基地局装置を用いた無線ネットワークに関する。
【背景技術】
【０００２】
インターネットと電話番号管理サーバとアクセスポイントとしての無線ＬＡＮ（ローカルエリアネットワーク）基地局とを有線で接続し、携帯電話機により無線ＬＡＮ基地局を介してインターネットを利用した音声通話、いわゆるＩＰ（インターネットプロトコル）電話を可能としたシステムが知られている（例えば、特許文献１参照）。
上記電話番号管理サーバは、無線ＬＡＮを構築する携帯電話機のＩＰアドレス、ＩＰ電話番号、一般電話番号、無線ＬＡＮ内の内線電話番号を管理して通話を制御する交換機能を備える。よって、携帯電話機から無線ＬＡＮ基地局を介してインターネットを利用したＩＰ電話による通話や無線ＬＡＮを介した無線ＬＡＮ通信による通話や一般電話回線を利用した電話による通話を行うことが可能である。すなわち、携帯電話機を、ＩＰ電話機、無線ＬＡＮ内での内線電話機、一般電話機として使用できる。
【特許文献１】特開２００２−１２５０６９号公報
【発明の開示】
【発明が解決しようとする課題】
【０００３】
発明が解決しようとする問題点は、上記システムでは、インターネットと電話番号管理サーバとアクセスポイントとしての無線ＬＡＮ基地局とを有線で接続することで無線ＬＡＮによる通信エリアを設定しているため、インターネットへの有線接続環境のある場所でなければアクセスポイントを介した無線ＬＡＮの通信エリアを設定することができないという点である。
【課題を解決するための手段】
【０００４】
本発明の無線ＬＡＮ移動基地局装置は、サーバと無線ＬＡＮのアクセスポイントとを備え、携帯可能に形成され、インターネットと無線で接続されることを特徴とする。
また、アクセスポイントが無線ＬＡＮアダプタにより形成されたことを特徴とする。
本発明の無線ネットワークは、サーバと無線ＬＡＮのアクセスポイントとを備えた無線ＬＡＮ移動基地局装置とインターネットとが無線で接続され、無線ＬＡＮ移動基地局装置と複数の端末装置とが無線で接続されたことを特徴とする。
また、複数の端末装置と無線ＬＡＮ移動基地局装置とで構築された無線ＬＡＮ内での内線番号が無線ＬＡＮを構築するそれぞれの端末装置に個別に付与され、サーバが、無線ＬＡＮを構築する複数の端末装置の内線番号を管理して無線ＬＡＮを構築する装置間の通信を制御する通信制御部を備えたことを特徴とする。
また、無線ＬＡＮ移動基地局装置が一斉通信制御部を備え、一斉通信制御部が、無線ＬＡＮ移動基地局装置から無線ＬＡＮを構築する複数の端末装置に対する一斉通信や、無線ＬＡＮを構築する複数の端末装置のうちの１つ端末装置から無線ＬＡＮを構築するその他の端末装置に対する一斉通信を制御することを特徴とする。
また、端末装置が携帯電話機であり、複数の携帯電話機と無線ＬＡＮ移動基地局装置とで構築された無線ＬＡＮ内での内線電話番号と、ＩＰアドレスと、ＩＰ電話番号とが無線ＬＡＮを構築するそれぞれの携帯電話装置に個別に付与され、サーバが、無線ＬＡＮを構築する複数の携帯電話装置の内線電話番号と、ＩＰアドレスと、ＩＰ電話番号とを管理して無線ＬＡＮを構築する装置間の電話通信及び無線ＬＡＮを構築する装置からインターネットを利用したＩＰ電話通信を制御する電話通信制御部を備えたことを特徴とする。
【発明の効果】
【０００５】
本発明の無線ＬＡＮ移動基地局装置によれば、サーバと無線ＬＡＮのアクセスポイントとを備え、携帯して移動でき、インターネットと無線で接続されるため、インターネットへの有線接続環境のない場所においても、アクセスポイントを介した無線ＬＡＮの通信エリアを設定できる。すなわち、携帯された無線ＬＡＮ移動基地局装置の移動先に無線ＬＡＮの通信エリアを設定できる。
また、アクセスポイントが無線ＬＡＮアダプタにより形成されたことで、無線ＬＡＮ移動基地局装置を小型化できる。
本発明の無線ネットワークによれば、無線ＬＡＮによる通信エリアの移動可能な無線ネットワークを得ることができる。
また、通信制御部を備えるので、内線番号が付与された端末装置間での無線ＬＡＮのエリア内での通話がアクセスポイントを介して可能となる。
また、一斉通信制御部を備えるので、無線ＬＡＮ移動基地局装置から複数の端末装置への一斉通信や、端末装置間の一斉通信を行えるので、無線ＬＡＮを構築する複数の端末装置の持ち主間の情報交換を容易に行える。
また、電話通信制御部を備えるので、内線電話番号が付与された携帯電話機間での無線ＬＡＮのエリア内での通話がアクセスポイントを介して可能となるとともに携帯電話機からアクセスポイントを介してＩＰ電話システムを利用できる。
【発明を実施するための最良の形態】
【０００６】
図１；図２は本発明の最良の形態であって、図１は本形態の無線ネットワークの構成を示し、図２は無線ネットワークを構成する無線ＬＡＮ移動基地局装置の機能ブロック構成を示す。
【０００７】
図１；２を参照し、本形態の無線ＬＡＮ移動基地局装置及び無線ネットワークを説明する。無線ネットワーク１は、インターネット２と無線ＬＡＮ移動基地局装置３とが無線で接続され、無線ＬＡＮ移動基地局装置３と複数の端末装置としての携帯電話機４；４・・・とが無線で接続されて構築される。詳しくは、無線ＬＡＮ移動基地局装置３が、インターネット２に有線で接続された移動通信網２１、あるいは、インターネット２に有線で接続されたインターネット２へのアクセスポイント２２に無線で接続されることにより、インターネット２と無線ＬＡＮ移動基地局装置３とが無線で接続された構成である。尚、無線ＬＡＮ移動基地局装置３と複数の携帯電話機４；４・・・とで無線ＬＡＮ３４が構築される。
【０００８】
無線ＬＡＮ移動基地局装置３は、サーバ５、アクセスポイント６、表示部７、キーボードなどの入力操作部８、無線ＬＡＮアダプタ挿着部９、電源部１０を備える。電源部１０は充電電池により構成される。無線ＬＡＮ移動基地局装置３は携帯可能に形成される。例えば、携帯電話機のような形状に形成されて携帯可能である。
【０００９】
アクセスポイント６は、無線ＬＡＮ移動基地局装置３の筐体に設けられた無線ＬＡＮアダプタ挿着孔９に挿入されて無線ＬＡＮ移動基地局装置３の図外のコンピュータ（プロセッサ（ＰＵ））に接続された無線ＬＡＮアダプタ（無線ＬＡＮカード）１１により形成される。よって、無線ＬＡＮアダプタ１１が無線ＬＡＮ移動基地局装置３内に収納されてコンピュータに接続され、アクセポイント６に電源部１０からの電源が供給されるので、無線ＬＡＮ移動基地局装置３を小型化でき、携帯しやすい無線ＬＡＮ移動基地局装置３が得られる。
【００１０】
無線ＬＡＮ移動基地局装置３のサーバ５は、電話通信制御部１２、無線ＬＡＮ通信制御部１３、Ｗｅｂ機能部１４、Ｍａｉｌ機能部１５などを備える。電話通信制御部１２、無線ＬＡＮ通信制御部１３、Ｗｅｂ機能部１４、Ｍａｉｌ機能部１５は、無線ＬＡＮ移動基地局装置３のコンピュータがコンピュータのＲＯＭなどの記憶装置に記憶されたプログラムを読み込んで当該プログラムに従った処理を行うことにより実現される。当該プログラムは、図外の、Ｌｉｎｕｘと呼ばれるＯＳソフトウエア、無線ＬＡＮ通信制御ソフトウエア、ＳＩＰ（Ｓｅｓｓｉｏｎ  Ｉｎｉｔｉａｔｉｏｎ  Ｐｒｏｔｏｃｏｌ）サーバソフトウエア、Ｗｅｂサーバソフトウエア、Ｍａｉｌサーバソフトウエアなどである。
【００１１】
電話通信制御部１２は、無線ＬＡＮ移動基地局装置３のコンピュータが主としてＳＩＰサーバソフトウエアに従った処理を行うことにより実現される。電話通信制御部１２は、無線ＬＡＮを構築する複数の携帯電話機４；４・・・のＩＰアドレス、ＩＰ電話番号、一般電話番号、無線ＬＡＮ３４内での内線電話番号を管理して電話通話を制御する交換機能を備える。
【００１２】
無線ＬＡＮ通信制御部１３は、無線ＬＡＮ移動基地局装置３のコンピュータが主として無線ＬＡＮ通信制御ソフトウエアに従った処理を行うことにより実現される。無線ＬＡＮ通信制御部１３は、無線ＬＡＮを構築する携帯電話機４；４・・・間での無線通信、及び、携帯電話機４とインターネット２及び図外の一般回線との間の無線通信を制御する。
【００１３】
Ｗｅｂ機能部１４は、無線ＬＡＮ移動基地局装置３のコンピュータが主としてＷｅｂサーバソフトウエアに従った処理を行うことにより実現される。Ｗｅｂ機能部１４を備えるので、無線ＬＡＮ移動基地局装置３によりインターネット２上のホームページを閲覧できるとともに、無線ＬＡＮを構築する携帯電話機４；４・・・はアクセスポイント６を介して無線ＬＡＮ移動基地局装置３経由でインターネット２上のホームページを閲覧できる。
【００１４】
Ｍａｉｌ機能部１５は、無線ＬＡＮ移動基地局装置３のコンピュータが主としてＭａｉｌサーバソフトウエアに従った処理を行うことにより実現される。Ｍａｉｌ機能部を備えるので、無線ＬＡＮ移動基地局装置３によりインターネット２を介したメールの送受信を行えるとともに、無線ＬＡＮを構築する携帯電話機４；４・・・はアクセスポイント６を介して無線ＬＡＮ移動基地局装置３経由でインターネット２を介したメールの送受信を行える。
【００１５】
電話通信制御部１２や無線ＬＡＮ通信制御部１３はそれぞれ一斉通信制御部１２Ａ；１３Ａを備える。一斉通信制御部１２Ａ；１３Ａは、無線ＬＡＮ３４を構築する装置（無線ＬＡＮ通信制御部１３や複数の携帯電話機４；４・・・）間の一斉通信を制御する。すなわち、一斉通信制御部１２Ａ；１３Ａが、無線ＬＡＮ移動基地局装置３の入力操作部８からの入力指示による一斉通信コマンドに基づいて無線ＬＡＮ移動基地局装置３から無線ＬＡＮ３４を構築する複数の携帯電話機４；４・・・に対して音声による一斉呼出やメールによる一斉連絡などの一斉通信を行なう。また、一斉通信制御部１２Ａ；１３Ａが、無線ＬＡＮ３４を構築する複数の携帯電話機４；４・・・のうちの１つの携帯電話機４からの一斉通信コマンドをアクセスポイント６を介して受信することにより当該１つの携帯電話機４から無線ＬＡＮ３４を構築するその他の複数の携帯電話機４；４・・・に対して携帯電話機４のベルを一斉に鳴動させる一斉呼出やメールによる一斉連絡などの一斉通信を行う。
【００１６】
携帯電話機４は、図外のコンピュータとこのコンピュータに接続された内蔵の無線ＬＡＮアダプタ１６とを備える。複数の携帯電話機４；４・・・には、それぞれ、ＩＰアドレス、ＩＰ電話番号、一般電話番号、無線ＬＡＮ３４内での内線電話番号が個別に付与されている。よって、携帯電話機４は、ＩＰ電話機、無線ＬＡＮ３４内での内線電話機、一般電話機として使用できる。
【００１７】
本形態によれば、無線ＬＡＮ移動基地局装置３が、サーバ５と無線ＬＡＮ３４のアクセスポイント６とを備え、携帯可能に形成され、インターネット２と無線で接続可能なので、インターネット２への有線接続環境のない場所においても、アクセスポイント６を介した無線ＬＡＮ３４の通信エリアを設定できる。すなわち、携帯された無線ＬＡＮ移動基地局装置３の移動先に無線ＬＡＮ３４の通信エリアを設定できる。また、無線ＬＡＮ移動基地局装置３のアクセスポイント６を中心として無線ＬＡＮ３４を構築する複数の携帯電話機４；４・・・間での通話を可能とする無線ＬＡＮ３４の通信エリアを移動できる。言い換えれば、いつでもどこでも無線ＬＡＮ３４の通信エリアを設定でき、また、無線ＬＡＮ移動基地局装置３の移動に伴って通信エリアを移動できる。さらに、以下の効果も得られる。
【００１８】
無線ＬＡＮ移動基地局装置３が無線ＬＡＮ通信制御部１３及び電話通信制御部１２を備え、電話通信制御部１２が、無線ＬＡＮ３４を構築する複数の携帯電話機４；４・・・の無線ＬＡＮ３４内での内線電話番号を管理して電話通話を制御するので、内線電話番号が付与された携帯電話機４；４・・・間での無線ＬＡＮ３４の通信エリア内での通話がアクセスポイント６を介して可能となる。この無線ＬＡＮ３４を構築する複数の携帯電話機４；４・・・間での通話は、ＮＴＴなどの通信事業者の交換機や移動通信網２１を経由しないので、通話料を削減できる。
【００１９】
電話通信制御部１２が携帯電話機４；４・・・のＩＰアドレス、ＩＰ電話番号を管理して電話通話を制御するので、携帯電話機４；４・・・からアクセスポイント６を介してＩＰ電話システムを利用できるようになる。この携帯電話機４；４・・・からアクセスポイント６を介したＩＰ電話による通話もＮＴＴなどの通信事業者の交換機を経由しないため、通話料を削減できる。
【００２０】
電話通信制御部１２が携帯電話機４；４・・・の一般電話番号を管理して電話通話を制御するので、携帯電話機４からアクセスポイント６を介して一般回線を利用した一般の電話システムも利用できる。
【００２１】
無線ＬＡＮ移動基地局装置３が一斉通信制御部１２Ａ；１３Ａを備えるため、無線ＬＡＮ３４を構築する複数の携帯電話機４；４・・・の持ち主間の情報交換を容易に行える。例えば、旅行会社のツアー添乗員が無線ＬＡＮ移動基地局装置３を携帯し、そのツアーの参加者のそれぞれの携帯電話機４；４・・・に無線ＬＡＮ３４内での内線電話番号を付与して、その内線電話番号を無線ＬＡＮ移動基地局装置３に管理させる。この場合、無線ＬＡＮ移動基地局装置３が一斉通信制御部１２Ａ；１３Ａを備えているので、ツアー添乗員が無線ＬＡＮ移動基地局装置３や自分の携帯電話機４からツアーの参加者に一斉通信を行うことで、参加者の確認を容易にできる。すなわち、集合場所に集合した者の認識、迷子発見、点呼確認などを行える。
【産業上の利用可能性】
【００２２】
上記では端末装置として携帯電話機４を例にして説明したが、端末装置としては携帯用のパーソナルコンピュータやＰＨＳでもよい。すなわち、複数の端末装置と無線ＬＡＮ移動基地局装置３とで構築された無線ＬＡＮ３４内での内線番号が無線ＬＡＮ３４を構築するそれぞれの端末装置に個別に付与され、サーバ５が、無線ＬＡＮ３４を構築する複数の端末装置の内線番号を管理して無線ＬＡＮ３４を構築する装置間の通信を制御する通信制御部を備えた無線ネットワークとしてもよい。また、無線ＬＡＮ移動基地局装置３は、サーバ５を内蔵した装置とこの装置と有線で接続されて当該装置の電源とは別電源で作動するアクセスポイントとで構成してもよい。ＯＳソフトウエアとしてはＷｉｎｄｏｗｓ（登録商標）のような他のＯＳソフトウエアを用いてもよい。
【図面の簡単な説明】
【００２３】
【図１】無線ネットワークの構成図（最良の形態）。
【図２】無線ネットワークを構成する無線ＬＡＮ移動基地局装置の機能ブロック構成図（最良の形態）。
【符号の説明】
【００２４】
１  無線ネットワーク、２  インターネット、３  無線ＬＡＮ移動基地局装置、
４  携帯電話機（端末装置）、５  サーバ、６  アクセスポイント、
１１  無線ＬＡＮアダプタ（カード）、１２  電話通信制御部、
１２Ａ  一斉通信制御部、１３  無線ＬＡＮ通信制御部、
１３Ａ  一斉通信制御部、３４  無線ＬＡＮ。
【図１】
2006270889.tif 000003
【図２】
2006270889.tif 000004